(57)【特許請求の範囲】
【請求項１】
Ｗｅｂブラウザ表示機能および電話機能を備えた発信者装置、またはＷｅｂブラウザ表示装置と電話装置とにより構成された発信者装置に接続された発側セッション制御サーバと、電話機能を備えた着信者装置に接続された着側セッション制御サーバとともにＩＰキャリア網内に設置された、名称リスト管理サーバおよび付加サービスサーバを備えた通信制御システムにおいて、
前記名称リスト管理サーバは、
予め、所定の電話サービスを利用する発信者として登録されたユーザの識別情報である発信者識別情報と、当該ユーザが所持する発信者装置の電話番号との関連づけ情報を、ユーザ認証用リストとして記憶するユーザ認証用リスト記憶部と、
予め、前記電話サービスを利用する着信者として登録されたユーザを示す名称情報と、当該ユーザが所持する着信者装置の電話番号との関連付け情報を、名称／着番号リストとして記憶する名称／着番号リスト記憶部と、
いずれかの発信者装置から前記電話サービスを利用するために送信された、当該発信者装置を所持するユーザの発信者識別情報を取得すると、前記ユーザ認証用リストに基づいて、取得した発信者識別情報に対応する発信者装置の電話番号を特定する認証部と、
前記認証部において発信者装置の電話番号が特定されると、前記名称／着番号リストに基づいて、当該電話サービスの着信者として登録されたユーザの名称情報を取得し、取得された発信者識別情報の送信元の発信者装置に表示させるために送信する表示制御部と、
送信した名称情報が表示されたことにより、当該発信者装置で選択された名称情報を取得し、前記名称／着番号リストに基づいて、取得した名称情報に対応する着信者装置の電話番号を特定する名称／着番号変換部と、
前記認証部で特定された発信者装置の電話番号、および前記名称／着番号変換部で特定された着信者装置の電話番号をパラメータとした発呼要求を生成して、前記付加サービスサーバに送信する付加サービスサーバ向け呼制御部と
を備え、
前記付加サービスサーバは、
前記名称リスト管理サーバから送信された発呼要求の発信者装置の電話番号に前記発側セッション制御サーバを経由して発呼し、当該発信者装置との通信が確立されると、通話接続要求中である旨を示す音声ガイダンス情報を当該発信者装置に送信するとともに、前記発呼要求の着信者装置の電話番号に前記着側セッション制御サーバを経由して発呼し、当該着信者装置との通信が確立されると、前記発信者装置への音声ガイダンス情報の送信を終了し、前記発側セッション制御サーバと前記着側セッション制御サーバとを接続させて当該発信者装置と当該着信者装置とで通話可能な状態とすることで、当該発信者装置と当該着信者装置との間の呼接続を１電話回線で確立させる発呼処理部と
を備えることを特徴とする通信接続制御システム。
【請求項２】
前記付加サービスサーバは、当該呼接続に関する課金処理を行う課金処理サーバにさらに接続され、
前記付加サービスサーバの発呼処理部は、当該呼接続の発呼先の前記発信者装置の電話番号を含む発側情報と、発呼先の前記着信者装置の電話番号を含む着側情報と、当該呼接続の課金先情報として予め登録された、前記発信者装置の電話番号、前記着信者装置の電話番号、または前記発信者装置ならびに前記着信者装置とは異なる第三者装置の電話番号とを含む呼接続情報を生成し、前記課金処理サーバに提供することを特徴とする請求項１に記載の通信接続制御システム。
【請求項３】
Ｗｅｂブラウザ表示機能および電話機能を備えた発信者装置、またはＷｅｂブラウザ表示装置と電話装置とにより構成された発信者装置に接続された発側セッション制御サーバと、電話機能を備えた着信者装置に接続された着側セッション制御サーバとともにＩＰキャリア網内に設置され、
予め、所定の電話サービスを利用する発信者として登録されたユーザの識別情報である発信者識別情報と、当該ユーザが所持する発信者装置の電話番号との関連づけ情報を、ユーザ認証用リストとして記憶するユーザ認証用リスト記憶部と、
予め、前記電話サービスを利用する着信者として登録されたユーザを示す名称情報と、当該ユーザが所持する着信者装置の電話番号との関連付け情報を、名称／着番号リストとして記憶する名称／着番号リスト記憶部と、
いずれかの発信者装置から前記電話サービスを利用するために送信された、当該発信者装置を所持するユーザの発信者識別情報を取得すると、前記ユーザ認証用リストに基づいて、取得した発信者識別情報に対応する発信者装置の電話番号を特定する認証部と、
前記認証部において発信者装置の電話番号が特定されると、前記名称／着番号リストに基づいて、当該電話サービスの着信者として登録されたユーザの名称情報を取得し、取得された発信者識別情報の送信元の発信者装置に表示させるために送信する表示制御部と、
送信した名称情報が表示されたことにより、当該発信者装置で選択された名称情報を取得し、前記名称／着番号リストに基づいて、取得した名称情報に対応する着信者装置の電話番号を特定する名称／着番号変換部と、
前記認証部で特定された発信者装置の電話番号、および前記名称／着番号変換部で特定された着信者装置の電話番号をパラメータとした発呼要求を生成する付加サービスサーバ向け呼制御部と
を備えた名称リスト管理サーバに接続され、前記ＩＰキャリア網内に設置された呼処理サーバにおいて、
前記名称リスト管理サーバから送信された発呼要求の発信者装置の電話番号に前記発側セッション制御サーバを経由して発呼し、当該発信者装置との通信が確立されると、通話接続要求中である旨を示す音声ガイダンス情報を当該発信者装置に送信するとともに、前記発呼要求の着信者装置の電話番号に前記着側セッション制御サーバを経由して発呼し、当該着信者装置との通信が確立されると、前記発信者装置への音声ガイダンス情報の送信を終了し、前記発側セッション制御サーバと前記着側セッション制御サーバとを接続させて当該発信者装置と当該着信者装置とで通話可能な状態とすることで、当該発信者装置と当該着信者装置との間の呼接続を１電話回線で確立させる発呼処理部
を備えたことを特徴とする呼処理サーバ。
【請求項４】
当該呼接続に関する課金処理を行う課金処理サーバにさらに接続され、
前記発呼処理部は、当該呼接続の発呼先の前記発信者装置の電話番号を含む発側情報と、発呼先の前記着信者装置の電話番号を含む着側情報と、当該呼接続の課金先情報として予め登録された、前記発信者装置の電話番号、前記着信者装置の電話番号、または前記発信者装置ならびに前記着信者装置とは異なる第三者装置の電話番号とを含む呼接続情報を生成し、前記課金処理サーバに提供することを特徴とする請求項３に記載の呼処理サーバ。
【発明の詳細な説明】
【技術分野】
【０００１】
本発明は、ＮＧＮ（Next Generation Network）などのＩＰ通信網を用いて、発信者の操作により指定された着信者の情報を取得し、これに基づいて発信者携帯端末と着信者端末とを通話可能な状態に接続する通信接続制御システム、およびこれに利用する呼処理サーバに関する。
【背景技術】
【０００２】
従来、インターネットなどのＩＰ通信網を利用して、ブラウザなどから入力された発信者電話端末と着信者電話端末との情報を用いてサーバが両者に発呼し、両者間の通話を実現させる技術（click-to-dial機能、以下「ＣｔｏＤ機能」と称する。）がある。
【０００３】
ＣｔｏＤ機能を用いる場合、発信者は例えばパーソナルコンピュータでＷｅｂページ上に表示された電話番号、ボタン、またはバナーをクリック操作するのみで、所望の相手と電話が接続され通話が可能になる。
【０００４】
既存のＣｔｏＤ機能を利用したＣｔｏＤ通信システム１００について、図１０を参照して説明する。
【０００５】
図１０のＣｔｏＤ通信システム１００では、まず利用者Ａにより携帯端末１１０Ａの表示画面上のブラウザに表示された所望の着信先の電話番号がクリック操作されると、ＩＰネットワーク網１２０を介して操作された電話番号情報がＣｔｏＤサービスサーバ１３０で受信される。次にＣｔｏＤサービスサーバ１３０において受信された電話番号情報に基づいて、発信者携帯端末１１０Ａおよび着信者電話端末１１０Ｂが特定される。
【０００６】
次にＣｔｏＤサービスサーバ１３０から、キャリア網１４０内のセッション制御サーバ１４１、１４２を中継して発信者携帯端末１１０Ａに対して発呼するとともに、セッション制御サーバ１４１、１４３を中継して着信者電話端末１１０Ｂに対して発呼する。
【０００７】
そして、これらの発呼に対して発信者携帯端末１１０Ａおよび着信者電話端末１１０Ｂで応答操作がされると２者間での通信が確立され、通話可能な状態になる。
【０００８】
またこれに加え、ＣｔｏＤ機能を利用した通話料金の課金先を予め登録しておくことで、発信者や着信者以外の第三者に課金することも可能である。
【先行技術文献】
【非特許文献】
【０００９】
【非特許文献１】クリックコールサービスhttp://www.fusioncom.co.jp/houjin/ip/ipphone/service/cc/
【特許文献】
【００１０】
【特許文献１】特開２０００−１８８６４５号公報
【発明の概要】
【発明が解決しようとする課題】
【００１１】
しかし上述したＣｔｏＤ機能を用いたサービスでは、ＣｔｏＤサービスサーバ１３０はキャリア網１４０の外の端末機能として実現していたため、ＣｔｏＤサービスサーバ１３０と発信者携帯端末１１０Ａとの間、ＣｔｏＤサービスサーバ１３０と着信者電話端末１１０Ｂとの間の２回線を確立され、通常の電話端末間の通話時に比べてリソースが多く占有されるという問題があった。またこれに応じて利用料金も２回線分課金されてしまい、利用者の負担が大きいという問題があった。
【００１２】
また課金先を第三者に設定する場合、この第三者の電話番号や暗証番号等の情報を発信者または着信者が予め入手して登録する必要があり、事前の処理が煩雑であるという問題があった。
【００１３】
本発明は上記事情に鑑みてなされたものであり、ＩＰ通信網を利用して取得された発信者電話端末と着信者電話端末との情報を用いて両電話端末間の通話を実現させる際に、占有するリソースを増加させることなく実行可能な、通信接続制御システム、およびこれに利用する呼処理サーバを提供することを目的とする。
【課題を解決するための手段】
【００１４】
上記の課題を解決するための、本発明の通信接続制御システムは、Ｗｅｂブラウザ表示機能および電話機能を備えた発信者装置、またはＷｅｂブラウザ表示装置と電話装置とにより構成された発信者装置に接続された発側セッション制御サーバと、電話機能を備えた着信者装置に接続された着側セッション制御サーバとともにＩＰキャリア網内に設置された、名称リスト管理サーバおよび付加サービスサーバを備えた通信制御システムにおいて、前記名称リスト管理サーバは、予め、所定の電話サービスを利用する発信者として登録されたユーザの識別情報である発信者識別情報と、当該ユーザが所持する発信者装置の電話番号との関連づけ情報を、ユーザ認証用リストとして記憶するユーザ認証用リスト記憶部と、予め、前記電話サービスを利用する着信者として登録されたユーザを示す名称情報と、当該ユーザが所持する着信者装置の電話番号との関連付け情報を、名称／着番号リストとして記憶する名称／着番号リスト記憶部と、いずれかの発信者装置から前記電話サービスを利用するために送信された、当該発信者装置を所持するユーザの発信者識別情報を取得すると、前記ユーザ認証用リストに基づいて、取得した発信者識別情報に対応する発信者装置の電話番号を特定する認証部と、前記認証部において発信者装置の電話番号が特定されると、前記名称／着番号リストに基づいて、当該電話サービスの着信者として登録されたユーザの名称情報を取得し、取得された発信者識別情報の送信元の発信者装置に表示させるために送信する表示制御部と、送信した名称情報が表示されたことにより、当該発信者装置で選択された名称情報を取得し、前記名称／着番号リストに基づいて、取得した名称情報に対応する着信者装置の電話番号を特定する名称／着番号変換部と、前記認証部で特定された発信者装置の電話番号、および前記名称／着番号変換部で特定された着信者装置の電話番号をパラメータとした発呼要求を生成して、前記付加サービスサーバに送信する付加サービスサーバ向け呼制御部とを備え、前記付加サービスサーバは、前記名称リスト管理サーバから送信された発呼要求の発信者装置の電話番号に前記発側セッション制御サーバを経由して発呼し、当該発信者装置との通信が確立されると、通話接続要求中である旨を示す音声ガイダンス情報を当該発信者装置に送信するとともに、前記発呼要求の着信者装置の電話番号に前記着側セッション制御サーバを経由して発呼し、当該着信者装置との通信が確立されると、前記発信者装置への音声ガイダンス情報の送信を終了し、前記発側セッション制御サーバと前記着側セッション制御サーバとを接続させて当該発信者装置と当該着信者装置とで通話可能な状態とすることで、当該発信者装置と当該着信者装置との間の呼接続を１電話回線で確立させる発呼処理部とを備えることを特徴とする。
【００１５】
またこの通信接続制御システムは、前記付加サービスサーバが、当該呼接続に関する課金処理を行う課金処理サーバにさらに接続され、前記付加サービスサーバの発呼処理部は、当該呼接続の発呼先の前記発信者装置の電話番号を含む発側情報と、発呼先の前記着信者装置の電話番号を含む着側情報と、当該呼接続の課金先情報として予め登録された、前記発信者装置の電話番号、前記着信者装置の電話番号、または前記発信者装置ならびに前記着信者装置とは異なる第三者装置の電話番号とを含む呼接続情報を生成し、前記課金処理サーバに提供するようにしてもよい。
【００１７】
また本発明の呼処理サーバは、Ｗｅｂブラウザ表示機能および電話機能を備えた発信者装置、またはＷｅｂブラウザ表示装置と電話装置とにより構成された発信者装置に接続された発側セッション制御サーバと、電話機能を備えた着信者装置に接続された着側セッション制御サーバとともにＩＰキャリア網内に設置され、予め、所定の電話サービスを利用する発信者として登録されたユーザの識別情報である発信者識別情報と、当該ユーザが所持する発信者装置の電話番号との関連づけ情報を、ユーザ認証用リストとして記憶するユーザ認証用リスト記憶部と、予め、前記電話サービスを利用する着信者として登録されたユーザを示す名称情報と、当該ユーザが所持する着信者装置の電話番号との関連付け情報を、名称／着番号リストとして記憶する名称／着番号リスト記憶部と、いずれかの発信者装置から前記電話サービスを利用するために送信された、当該発信者装置を所持するユーザの発信者識別情報を取得すると、前記ユーザ認証用リストに基づいて、取得した発信者識別情報に対応する発信者装置の電話番号を特定する認証部と、前記認証部において発信者装置の電話番号が特定されると、前記名称／着番号リストに基づいて、当該電話サービスの着信者として登録されたユーザの名称情報を取得し、取得された発信者識別情報の送信元の発信者装置に表示させるために送信する表示制御部と、送信した名称情報が表示されたことにより、当該発信者装置で選択された名称情報を取得し、前記名称／着番号リストに基づいて、取得した名称情報に対応する着信者装置の電話番号を特定する名称／着番号変換部と、前記認証部で特定された発信者装置の電話番号、および前記名称／着番号変換部で特定された着信者装置の電話番号をパラメータとした発呼要求を生成する付加サービスサーバ向け呼制御部とを備えた名称リスト管理サーバに接続され、前記ＩＰキャリア網内に設置された呼処理サーバにおいて、前記名称リスト管理サーバから送信された発呼要求の発信者装置の電話番号に前記発側セッション制御サーバを経由して発呼し、当該発信者装置との通信が確立されると、通話接続要求中である旨を示す音声ガイダンス情報を当該発信者装置に送信するとともに、前記発呼要求の着信者装置の電話番号に前記着側セッション制御サーバを経由して発呼し、当該着信者装置との通信が確立されると、前記発信者装置への音声ガイダンス情報の送信を終了し、前記発側セッション制御サーバと前記着側セッション制御サーバとを接続させて当該発信者装置と当該着信者装置とで通話可能な状態とすることで、当該発信者装置と当該着信者装置との間の呼接続を１電話回線で確立させる発呼処理部を備えたことを特徴とする。
【００１８】
またこの呼処理サーバは、当該呼接続に関する課金処理を行う課金処理サーバにさらに接続され、前記発呼処理部は、当該呼接続の発呼先の前記発信者装置の電話番号を含む発側情報と、発呼先の前記着信者装置の電話番号を含む着側情報と、当該呼接続の課金先情報として予め登録された、前記発信者装置の電話番号、前記着信者装置の電話番号、または前記発信者装置ならびに前記着信者装置とは異なる第三者装置の電話番号とを含む呼接続情報を生成し、前記課金処理サーバに提供するようにしてもよい。
【発明の効果】
【００１９】
本発明の通信接続制御システム、およびこれに利用する呼処理サーバによれば、ＩＰ通信網を利用して取得された発信者電話端末と着信者電話端末との情報を用いて両電話端末間の通話を実現させる際に、占有するリソースを増加させることなく実行することができる。
【図面の簡単な説明】
【００２０】
【図１】本発明の一実施形態による通信接続制御システムの構成を示す全体図である。
【図２】本発明の一実施形態による通信接続制御システムの構成を示すブロック図である。
【図３】本発明の一実施形態による通信接続制御システムの名称リスト管理サーバおよび付加サービスサーバに記憶された情報の一例を示す説明図である。
【図４】本発明の一実施形態による通信接続制御システムの付加サービスサーバに対する発呼処理が実行されるときの動作を示すシーケンス図である。
【図５】本発明の一実施形態による通信接続制御システムの発信者携帯端末に、（ａ）リストの名称情報が表示された状態の一例を示す画面表示図、および（ｂ）名称情報が選択された状態の一例を示す画面表示図である。
【図６】本発明の一実施形態による通信接続制御システムの、名称リスト管理サーバと付加サービスサーバとの間で送受信される情報を示す説明図である。
【図７】本発明の一実施形態による通信接続制御システムにおいて通話接続処理が実行されるときの動作を示すシーケンス図である。
【図８】本発明の一実施形態による通信接続制御システムの付加サービスサーバで生成され記憶された呼接続情報の一例を示す説明図である。
【図９】本発明の他の実施形態による通信接続制御システムの発信者端末に、連絡網情報が表示された状態の一例を示す画面表示図である。
【図１０】従来の通信接続制御システムを示す全体図である。
【発明を実施するための形態】
【００２１】
〈一実施形態による通信接続制御システムの構成〉
本発明の一実施形態による通信接続制御システムの構成を、図１を参照して説明する。本実施形態による通信接続制御システム１は、発信者Ａが所持する発信者携帯端末１１Ａと、着信者Ｂが所持する着信者携帯端末１１Ｂと、ＩＰキャリア網２０内に設置された名称リスト管理サーバ２１と、音声ガイダンスサーバ２２と、呼処理サーバとしての付加サービスサーバ２３と、発側セッション制御サーバ２４−１と、着側セッション制御サーバ２４−２と、サービスオーダサーバ２５と、課金処理サーバ２６とを有する。
【００２２】
発信者携帯端末１１Ａは、ＷｅｂブラウザによりＷｅｂページを表示させる表示部１１１Ａ、および電話による通話を可能にする電話通信部１１２Ａを備えた携帯端末である。着信者携帯端末１１Ｂは、電話による通話を可能にする電話通信部１１１Ｂを備えた携帯端末である。
【００２３】
これらのサーバ、端末の詳細な構成について、図２を参照して説明する。名称リスト管理サーバ２１は、ユーザ認証用リスト記憶部２１１と、名称／着番号リスト記憶部２１２と、ユーザ認証部２１３と、Ｗｅｂ画面表示制御部２１４と、名称／着番号変換部２１５と、付加サービスサーバ向け呼制御部２１６と、名称リスト管理／編集部２１７とを有する。
【００２４】
ユーザ認証用リスト記憶部２１１は、通話サービスごとに付されたサービスリストＩＤごとの、予め発信者として登録されたユーザの識別情報であるユーザＩＤおよびパスワードと、当該ユーザが所持する発信者携帯端末の電話番号（発番号）との関連付け情報であるユーザ認証用リストを記憶する。
【００２５】
名称／着番号リスト記憶部２１２は、サービスリストＩＤごとの、予め着信者として登録されたユーザのＷｅｂ画面表示用の名称情報と、当該ユーザが所持する着信者携帯端末等の電話番号（着番号）との関連付け情報である名称／着番号リストを記憶する。
【００２６】
ユーザ認証部２１３は、いずれかの端末からユーザＩＤおよびパスワードの情報を取得すると、当該ユーザＩＤとパスワードとの組み合わせが、ユーザ認証用リスト記憶部２１１の該当する通話サービスのユーザ認証用リストに登録されているか否かを確認する。確認の結果登録されていた場合には、当該発信者携帯端末のユーザを正規のユーザとして認証し、対応する電話番号（発番号）を特定する。
【００２７】
Ｗｅｂ画面表示制御部２１４は、ユーザ認証部２１３で認証された発信者携帯端末の表示画面に、名称／着番号リスト記憶部２１２に記憶された該当する通話サービスの名称／着番号リストのＷｅｂ画面表示用の名称情報を送信して表示させる。
【００２８】
名称／着番号変換部２１５は、Ｗｅｂ画面表示制御部２１４により名称／着番号リストの名称情報を表示させたことにより、発信者の操作により選択された名称情報を取得し、該当する名称／着番号リスト記憶部２１２の名称／着番号リストを参照して、対応する電話番号（着番号）を特定する。
【００２９】
付加サービスサーバ向け呼制御部２１６は、ユーザ認証部２１３で特定された発信者携帯端末の電話番号と、名称／着番号変換部２１５で特定された着信者携帯端末の電話番号（着番号）とに基づいて、付加サービスサーバ２３を介して発呼要求、切断要求等を行う。
【００３０】
名称リスト管理／編集部２１７は、当該システムの管理者の操作により、名称／着番号リスト記憶部２１２の名称／着番号リストを登録および編集する。
【００３１】
音声ガイダンスサーバ２２は、通話接続要求中である旨を示す音声ガイダンス情報を記憶し、着信者携帯端末に対する通話接続要求中に、発信者携帯端末に送信して再生させるガイダンス再生部２２１を有する。
【００３２】
付加サービスサーバ２３は、名称リスト管理サーバ連携部２３１と、発呼処理部２３２と、課金先情報ファイル記憶部２３３と、呼接続情報ファイル記憶部２３４とを有する。
【００３３】
名称リスト管理サーバ連携部２３１は、Parlay-X等の汎用的なインタフェースで名称リスト管理サーバ２１の付加サービスサーバ向け呼制御部２１６と接続され、名称リスト管理サーバから送信された発信者携帯端末１１Ａの電話番号と着信者携帯端末１１Ｂの電話番号とをパラメータとした呼接続ごとの呼識別番号を発行し、この呼識別番号に基づいて発呼処理や切断処理を発呼処理部２３２に実行させる。
【００３４】
発呼処理部２３２は、名称リスト管理サーバ連携部２３１の指示により、該当する発信者携帯端末および着信者携帯端末に、対応するセッション制御サーバ２４−１、２４−２を介して、それぞれ呼接続処理や切断処理を行う。
【００３５】
課金先情報ファイル記憶部２３３は、サービスリストＩＤごとの課金情報（課金方法、課金先電話番号等）を、課金先情報ファイルとして記憶する。また課金先情報ファイル記憶部２３３に記憶された課金情報は、名称リスト管理サーバ２１のユーザ認証用リスト記憶部２１１に記憶されたユーザ認証用リストおよび名称／着番号リスト記憶部２１２に記憶された名称／着番号リストと共通して、サービスリストＩＤごとに記憶されている。
【００３６】
呼接続情報ファイル記憶部２３４は、確立された呼接続ごとに付与される呼識別番号ごとの呼接続情報ファイルとして、発信者携帯端末情報、着信者携帯端末情報、通話時間、課金情報（課金方法、課金先電話番号等）を記憶する。
【００３７】
発側セッション制御サーバ２４−１および着側セッション制御サーバ２４−２は、付加サービスサーバの発呼処理部２３２からの指示により、発信者携帯端末１１Ａ、着信者携帯端末１１Ｂに発呼処理を行う基本呼制御部２４１、２４２をそれぞれ有する。
【００３８】
サービスオーダサーバ２５は、付加サービスサーバ２３の課金先情報ファイル記憶部２３３に記憶された課金先情報ファイルを登録、編集するサービスオーダ登録処理部２５１を有する。
【００３９】
課金処理サーバ２６は、呼接続情報ファイル記憶部２３４に記憶された呼接続情報ファイルを取得して、所定の課金先に課金処理を行う課金処理部２６１を有する。
【００４０】
〈一実施形態による通信接続制御システムの動作〉
次に、本実施形態による通信接続制御システム１において、発信者携帯端末１１Ａと着信者携帯端末１１Ｂとの間で「Ｘ社用通話サービス」により通話接続を確立するときの動作について、図３〜８を参照して説明する。
【００４１】
本実施形態において、名称リスト管理サーバ２１のユーザ認証用リスト記憶部２１１には、サービスリストＩＤ「111113」に該当する「Ｘ社用通話サービス」を利用する発信側ユーザに関するユーザ認証用リストが、図３（ａ）に示すように登録され記憶されているものとする。図３（ａ）のユーザ認証用リストには、ユーザＩＤ「user1」とパスワード「xxxxxx」との組み合わせに対して電話番号（発番号）「0123-45-aaaa」が登録され、ユーザＩＤ「user2」とパスワード「yyyyyy」との組み合わせに対して電話番号（発番号）「0123-45-bbbb」が登録されているものとする。
【００４２】
また本実施形態において、名称リスト管理サーバ２１の名称／着番号リスト記憶部２１２には、当該「Ｘ社用通話サービス」により着信を受けるＸ社社員に関する名称／着番号リストとして、図３（ｂ）に示すように登録され記憶されているものとする。図３（ｂ）の名称／着番号リストには、例えば名称情報「愛知一郎」に対して電話番号（着番号）「052-ccc-cccc」が登録され、名称情報「青森二郎」に対して電話番号（着番号）「0172-dd-dddd」が登録されているものとする。また、この名称／着番号リストには、「Ｘ社用通話サービス」に関するものであることを識別するサービスリストＩＤ「111113」が付加されている。この名称／着番号リストは、名称リスト管理／編集部２１７から当該Ｘ社通話サービスの管理者の操作のみにより、登録、編集が可能である。
【００４３】
また本実施形態において、付加サービスサーバ２３の課金先情報ファイル記憶部２３３には、サービスオーダサーバ２５のサービスオーダ登録処理部２５１が用いられ、予め登録された複数の通話サービスごと（サービスリストＩＤごと）の課金方法、および課金方法が第三者課金である場合の当該第三者の電話端末の電話番号（発番号）が、図３（ｃ）に示すようにＸ社通話サービスの管理者により登録され記憶されているものとする。図３（ｃ）の課金先情報ファイルには、第１通話サービスを示すサービスリストＩＤ「111111」の課金方法が「１．発側課金」であり、第２通話サービスを示すリストサービスＩＤ「111112」の課金方法が「２．着側課金」であり、第３通話サービスである「Ｘ社用通話サービス」を示すサービスリストＩＤ「111113」の課金方法が「３．第三者課金」であり、この第三者の電話番号（発番号）「03-eeee-ffff」が登録されている。ここで第三者とは、発信者および着信者以外の者をさす。
【００４４】
これらの情報が記憶されている状態で、発信者携帯端末１１Ａから、名称リスト管理サーバ２１を介して付加サービスサーバ２３に発呼処理が実施されるときの処理について、図４のフローチャートを参照して説明する。
【００４５】
まず発信者Ａの発信者携帯端末１１Ａにおいて表示部１１１Ａに表示されたＷｅｂブラウザによりＸ社用通話サービス（サービスリストＩＤ「111113」）を利用するためのＷｅｂページへのアクセス操作が行われると（Ｓ１）、名称リスト管理サーバ２１のＷｅｂ画面表示制御部２１４により該当するＷｅｂページが提供され、発信者携帯端末１１Ａの表示部１１１Ａに表示される（Ｓ２）。
【００４６】
発信者携帯端末１１Ａでは、表示されたＷｅｂページ情報に従って発信者であるユーザＡのユーザＩＤ「user1」およびパスワード「xxxxxx」が入力され、名称リスト管理サーバ２１に送信される（Ｓ３）。
【００４７】
名称リスト管理サーバ２１では、発信者携帯端末１１Ａから送信されたユーザＩＤ「user1」およびパスワードがユーザ認証部２１３で受信され、このユーザＩＤとパスワード「xxxxxx」との組み合わせがユーザ認証用リスト記憶部２１１の「Ｘ社用通話サービス（サービスリストＩＤ「111113」）」に関するユーザ認証用リストに登録されているか否かが確認される。ここでは図３（ａ）に示すように登録されているため、当該発信者携帯端末１１ＡのユーザＡが「Ｘ社用通話サービス（サービスリストＩＤ「111113」）」の正規のユーザとして認証され、対応する電話番号（発番号）「0123-45-aaaa」が特定される（Ｓ４）。
【００４８】
次にＷｅｂ画面表示制御部２１４において、認証の対象とされた「Ｘ社用通話サービス（サービスリストＩＤ「111113」）」の名称／着番号リストが名称／着番号リスト記憶部２１２から取得され、この名称／着番号リスト中の名称情報が発信者携帯端末１１Ａに送信され表示部１１１Ａに表示される（Ｓ５）。
【００４９】
「Ｘ社用通話サービス（サービスリストＩＤ「111113」）」の名称／着番号リストの名称情報として、Ｘ社の電子社員録が発信者携帯端末１１Ａの表示部１１１Ａに表示されたときの表示画面情報の一例を、図５（ａ）に示す。図５（ａ）では、Ｘ社の電子社員録として登録されている社員の名称情報「愛知一郎」、「青森二郎」、「石川三郎」、「茨城四郎」、「岩手五郎」が表示されている状態を示す。
【００５０】
次に、表示されたＸ社の電子社員録の中から発信者Ａの操作により、着信者Ｂとして名称情報「愛知一郎」が選択されると、図５（ｂ）に示す画面が発信者携帯端末１１Ａの表示部１１１Ａに表示される。
【００５１】
表示された図５（ｂ）の画面において、発信者携帯端末１１Ａから着信者Ｂの着信者携帯端末１１Ｂへの発信処理を実行するための発信ボタンが操作されると、当該着信者携帯端末１１Ｂの名称情報とともに発信指示が名称リスト管理サーバ２１に送信される（Ｓ６）。
【００５２】
名称リスト管理サーバ２１では、発信者携帯端末１１Ａから送信された着信者携帯端末１１Ｂの名称情報および発信指示がＷｅｂ画面表示制御部２１４を介して名称／着番号変換部２１５で取得され、該当する名称／着番号リスト記憶部２１２の名称／着番号リストが参照されて、対応する電話番号（着番号）「052-ccc-cccc」が特定される（Ｓ７）。
【００５３】
電話番号（着番号）が特定されると、付加サービスサーバ向け呼制御部２１６から当該通話サービスのサービスリストＩＤ「111113」が付加サービスサーバ２３に送信され（Ｓ８）、名称リスト管理サーバ連携部２３１において、課金先情報ファイル記憶部２３３に当該サービスリストＩＤ「111113」に関する情報が存在するか否かが確認されることにより、サービスリストＩＤの認証処理が実行される（Ｓ９）。このサービスリストＩＤを含む、名称リスト管理サーバ２１の付加サービスサーバ向け呼制御部２１６と付加サービスサーバ２３の名称リスト管理サーバ連携部２３１とで送受信される情報を、図６に示す。
【００５４】
課金先情報ファイル記憶部２３３に当該サービスリストＩＤ「111113」が存在することが確認されるとサービスリストＩＤ「111113」が処理可能な対象サービスとして認証され、認証ＯＫ通知が名称か付加サービスサーバ向け呼制御部２１６に送信される（Ｓ１０）。
【００５５】
付加サービスサーバ向け呼制御部２１６では、名称リスト管理サーバ連携部２３１から送信された認証ＯＫ通知が付加サービスサーバ向け呼制御部２１６で取得され、ステップＳ４で特定された電話番号（発番号）「0123-45-aaaa」、およびステップＳ７で特定された電話番号（着番号）「052-ccc-cccc」をパラメータとした発呼要求が生成され、名称リスト管理サーバ連携部２３１に送信される（Ｓ１１）。
【００５６】
名称リスト管理サーバ連携部２３１では、取得した発呼要求へのリプライとして、当該発呼要求のパラメータである電話番号（発番号）「0123-45-aaaa」と電話番号（着番号）「052-ccc-cccc」との組み合わせに関する呼識別番号が発行され、付加サービスサーバ向け呼制御部２１６に送信される（Ｓ１２）。
【００５７】
次に、発行された呼識別番号で示される情報に基づいて、付加サービスサーバ２３により発信者携帯端末１１Ａと着信者携帯端末１１Ｂとの間に通話接続を確立させる処理、および確立された通話接続を切断させる処理について、図７のフローチャートを参照して説明する。
【００５８】
まず、ステップＳ１２で発行した呼識別番号に関するパラメータに基づいて、付加サービスサーバ２３の発呼処理部２３２から音声ガイダンスサーバ２２に対し発呼が行われる（Ｓ２１）。
【００５９】
音声ガイダンスサーバ２２では、ガイダンス再生部２２１において発呼に応答可能であることを示す応答ＯＫ通知が生成され、付加サービスサーバ２３に返信される（Ｓ２２）。
【００６０】
付加サービスサーバ２３の発呼処理部２３２では、音声ガイダンスサーバ２２から応答ＯＫ通知が受信されると、発側セッション制御サーバ２４−１に対し電話番号（発番号）「0123-45-aaaa」により発呼が行われる（Ｓ２３）。
【００６１】
発側セッション制御サーバ２４−１では、基本呼制御部２４１において取得された発呼に対応して発信者携帯端末１１Ａに呼び出し処理が行われる（Ｓ２４）。また呼び出し処理が行われたことにより発側セッション制御サーバ２４−１において発信者携帯端末１１Ａの電話番号（発番号）「0123-45-aaaa」を含む発側情報が生成され、付加サービスサーバ２３に送信される。
【００６２】
実行された呼び出し処理に対応して発信者携帯端末１１Ａにおいて発信者Ａによりオフフック操作されると、この操作が発側セッション制御サーバ２４−１の基本呼制御部２４１で検知され（Ｓ２５）、呼び出しＯＫ通知が生成されて付加サービスサーバ２３に送信される（Ｓ２６）。
【００６３】
付加サービスサーバ２３の発呼処理部２３２では、発側セッション制御サーバ２４−１から取得された呼び出しＯＫ通知が受信されると、着側セッション制御サーバ２４−２に対し電話番号（着番号）「052-ccc-cccc」により発呼が行われる（Ｓ２７）。
【００６４】
着側セッション制御サーバ２４−２では、基本呼制御部２４２において取得された発呼に対応して着信者携帯端末１１Ｂに呼び出し処理が行われる（Ｓ２８）。また呼び出し処理が行われたことにより着側セッション制御サーバ２４−２において着信者携帯端末１１Ｂの電話番号（着番号）「052-ccc-cccc」を含む着側情報が生成され、付加サービスサーバ２３に送信される。
【００６５】
一方、付加サービスサーバの発呼処理部２３２で呼び出しＯＫ通知が受信されると、ステップＳ２２により音声ガイダンスサーバ２２から応答ＯＫ通知を受信していることにより、音声ガイダンスサーバ２２のガイダンス再生部２２１から発信者携帯端末１１Ａに対し、通話接続要求中である旨を示す音声ガイダンス情報が送信され、再生される（Ｓ２９）。
【００６６】
また、ステップＳ２８における呼び出しに対応して着信者携帯端末１１Ｂにおいて着信者Ｂによりオフフック操作されると、この操作が着側セッション制御サーバ２４−２の基本呼制御部２４２で検知され（Ｓ３０）、呼び出しＯＫ通知が生成されて付加サービスサーバ２３に送信される（Ｓ３１）。
【００６７】
付加サービスサーバ２３の発呼処理部２３２では、着側セッション制御サーバ２４−２から取得された呼び出しＯＫ通知が受信されると、音声ガイダンスサーバ２２に対し、音声ガイダンス情報の送信で利用されている発信者携帯端末１１Ａとの通信を切断するための切断要求が送信される（Ｓ３２）。この切断要求により、発信者携帯端末１１Ａにおける音声ガイダンス情報の再生が終了される。
【００６８】
音声ガイダンスサーバ２２と発信者携帯端末１１Ａとの通信の切断後、付加サービスサーバ２３の発呼処理部２３２により、発側セッション制御サーバ２４−１に対して、再度電話番号（発番号）「0123-45-aaaa」での通信を行うための再接続要求が送信される（Ｓ３３）。
【００６９】
送信した再接続要求に対して発側セッション制御サーバ２４−１から再接続ＯＫ通知が受信されると（Ｓ３４）、付加サービスサーバ２３の発呼処理部２３２を介して発側セッション制御サーバ２４−１と着側セッション制御サーバ２４−２とが接続され、これにより発信者携帯端末１１Ａと着信者携帯端末１１Ｂとが通話可能な状態で１電話回線で接続される（Ｓ３５）。
【００７０】
この通話可能な状態の間、名称リスト管理サーバ２１は付加サービスサーバ２３に呼識別番号で問い合わせて（Ｓ３６）、呼状態通知を付加サービスサーバ２３から受信する（Ｓ３７）ことにより、呼接続の状態を確認することができる。
【００７１】
次に、発信者携帯端末１１Ａから名称リスト管理サーバ２１を介して通話接続の切断要求が発信されると、名称リスト管理サーバ２１から当該通話接続の呼識別番号とともに切断要求が付加サービスサーバ２３に送信される（Ｓ３８）。
【００７２】
そして付加サービスサーバ２３の発呼処理部２３２から当該通話に関する切断要求が着側セッション制御サーバ２４−２および発側セッション制御サーバ２４−１に送信され（Ｓ３９、Ｓ４０）、通話接続が切断される。付加サービスサーバ２３の発呼処理部２３２では、当該通信による通話時間が算出され保持される。
【００７３】
通話接続が切断され終了されると、発呼処理部２３２により、ステップＳ２４で取得された発側情報、ステップＳ２８で取得された着側情報、通話接続終了により算出した通話時間情報、課金先情報ファイル記憶部２３３に記憶された課金先情報ファイルから取得した当該サービスリストＩＤの課金情報に基づいて呼接続情報ファイルが生成され、呼識別番号とももに付加サービスサーバ２３の呼接続情報ファイル記憶部２３４に記憶される。
【００７４】
記憶された呼接続情報ファイルの一例を、図８に示す。図８の呼接続情報ファイルには、当該通話の呼接続情報として、発信者の携帯端末の電話番号が「0123-45-aaaa」であり、着信者の携帯端末の電話番号が「052-ccc-cccc」であり、通話時間が「HH:MM:SS」であり、課金方法が「３（第三者課金）」であり、この第三者課金による課金先電話番号が「03-eeee-ffff」であることを示す情報が含まれている。
【００７５】
呼接続情報ファイル記憶部２３４に記憶された呼接続情報ファイルは、課金処理サーバ２６に送信される（Ｓ４１）。
【００７６】
課金処理サーバ２６では、課金処理部２６１において呼接続情報ファイル記憶部２３４から取得された呼接続情報ファイルに基づいて、当該通話接続に関し、登録された課金方法、例えば第三者課金の場合は指定された電話番号（発番号）に対して課金処理が行われる。
【００７７】
上記実施形態においては１台の発信者端末にＷｅｂブラウザ表示機能と電話機能とが搭載されている場合について説明したが、発信者端末を、Ｗｅｂブラウザ表示機能が搭載されたパーソナルコンピュータと電話機能が搭載された電話端末とにより構成するようにしてもよい。
【００７８】
以上の本実施形態によれば、ユーザの携帯電話端末を制御するセッション制御サーバと同一のＩＰキャリア網内に名称リスト管理サーバを設置し、発信者携帯端末からＷｅｂブラウザ経由で名称管理サーバに送信された情報に基づいて、発信者携帯端末と着信者携帯端末との通話接続を１電話回線分のリソースで確立させることができ、従来のＣｔｏＤシステムよりも少ないリソースで通話接続の確立が可能になる。
【００７９】
また本実施形態によれば、発信者および着信者以外の第三者に課金処理を行う場合、予め通話サービスごとに管理者が課金先電話番号を登録しておくため、発信者、着信者は課金先の第三者の電話番号や暗証番号を都度入力する必要がなく、課金先を意識せずに当該通話サービスを利用することができる。
【００８０】
また本実施形態によれば、発信者携帯端末の表示部に表示される、着信者端末を選択させるための情報は、図５に示すような名称情報であるためＷｅｂページ上には当該サービスで利用可能な着信先を電話番号（着番号）で表示されず、個人情報を有効に保護することができる。
【００８１】
また上記実施形態においては本願発明の技術を社内通話サービスに利用する場合について説明したが、他にも例えば、学校連絡網サービスやコミュニティサービスに利用することもできる。
【００８２】
学校連絡網サービスとしては、事前に学校側によって作成された連絡網を用いてクラス内で連絡事項を伝達するような利用シーンが想定される。そして、名称リスト管理サーバのユーザ認証用リスト記憶部には当該サービスを利用する先生やクラスの各生徒側に関するユーザ認証用リストが登録され、名称／着番号リスト記憶部には当該サービスを利用する先生やクラスの各生徒側の名称情報および電話番号（着番号）が登録され、付加サービスサーバの課金先情報ファイル記憶部には当該サービスの課金先情報として学校の電話番号が登録され記憶されているものとする。さらに、名称リスト管理サーバには連絡網の順番や進行状況情報が記憶されているものとする。
【００８３】
このように情報が記憶されている状態で、連絡網を利用する生徒が発信者携帯端末から当該連絡網サービスのＷｅｂページにアクセスすると、図９に示すように現在の進行状態を含み名称情報で構成された連絡網画面が表示され、次に発信すべき人を容易に確認することができるとともに、クリック操作のみで発信、通話接続処理を実行することができる。
【００８４】
このとき、先生や生徒側の電話番号（着番号）は管理者である学校側が登録、修正を行い、生徒間では電話番号（着番号）を互いに知らせる必要がないため、個人情報を有効に保護することができる。
【００８５】
また、学校側は当該サービスのＷｅｂページを閲覧することにより、連絡網の進捗状況（完了／未完了等）を確認することが可能になり高い利便性を有する。
【００８６】
またコミュニティサービスとしては、コミュニティサービスに加入した利用者同士がニックネームを利用して通話可能とするサービスが想定される。そして、名称リスト管理サーバのユーザ認証用リスト記憶部には当該サービスに加入したユーザに関するユーザ認証用リストが登録され、名称／着番号リスト記憶部には当該サービスに加入したユーザのニックネームおよび電話番号（着番号）が登録され、さらに付加サービスサーバの課金先情報ファイル記憶部には当該サービスの課金先情報として当該サービスの運営会社の電話番号が登録され記憶されているものとする。
【００８７】
このように情報が記憶されている状態で、ユーザが発信者携帯端末から当該コミュニティサービスのＷｅｂページにアクセスすると、当該ユーザが友人として予め登録した人のニックネームで構成された電話帳リストが表示される。
【００８８】
そして、当該ユーザが所望のニックネームをクリックすると、該当するニックネームの友人の携帯端末に通話接続を行うことができる。
【００８９】
このとき、コミュニティサービスの運営会社に課金するように処理されることで、ユーザ同士は無料で通話を行うことができる。当該運営会社は、例えば広告収入を得てユーザ間の通話料金を支払うことが想定される。
【００９０】
また、ユーザはそれぞれ自分用の電話帳リストを持ち、ニックネームで登録した友人に対して互いに電話番号を予め知らせることなく通話接続を行うことができ、個人情報を有効に保護することができる。
【００９１】
また、登録されたユーザの電話番号（着番号）は、当該ユーザ自身によって編集することが可能であり、電話番号を変更した場合にも電話帳リストの友人に知らせることなく、継続して当該サービスを利用することができる。
【符号の説明】
【００９２】
１…通信接続制御システム
１１Ａ…発信者携帯端末
１１Ｂ…着信者携帯端末
２０…ＩＰキャリア網
２１…名称リスト管理サーバ
２２…音声ガイダンスサーバ
２３…付加サービスサーバ
２４−１…発側セッション制御サーバ
２４−２…着側セッション制御サーバ
２５…サービスオーダサーバ
２６…課金処理サーバ
１１１Ａ…表示部
１１１Ｂ、１１２Ａ…電話通信部
２１１…ユーザ認証用リスト記憶部
２１２…名称／着番号リスト記憶部
２１３…ユーザ認証部
２１４…Ｗｅｂ画面表示制御部
２１５…名称／着番号変換部
２１６…付加サービスサーバ向け呼制御部
２１７…名称リスト管理／編集部
２２１…ガイダンス再生部
２３１…名称リスト管理サーバ連携部
２３２…発呼処理部
２３３…課金先情報ファイル記憶部
２３４…呼接続情報ファイル記憶部
２４１、２４２…基本呼制御部
２５１…サービスオーダ登録処理部
２６１…課金処理部
【図１】
0005684750.tif 000002
【図２】
0005684750.tif 000003
【図３】
0005684750.tif 000004
【図４】
0005684750.tif 000005
【図５】
0005684750.tif 000006
【図６】
0005684750.tif 000007
【図７】
0005684750.tif 000008
【図８】
0005684750.tif 000009
【図９】
0005684750.tif 000010
【図１０】
0005684750.tif 000011